(57)【要約】      （修正有）【課題】止め金板の先端部への取付けが簡単かつ的確に行なえるとともに、止め金板の受金部との摺り合わせ係合が円滑になされる止め金板用ガイドキャップを提供する。【解決手段】相対向する正面プレート部２と背面プレート部３が四辺のうち三辺において結合エッジ部４、５によって閉塞されて、止め金板１４の先端部が収容される空洞部７を形成しており、残りの一辺が開放されて止め金板１４の先端部の挿入口８になっており、三辺の結合エッジ部４、５が断面外周輪郭において湾曲状に形成されており、正面プレート部２と背面プレート部３が空洞部７に向かって凹み形成されている。【選択図】図６
2011140837.tif 000002
【特許請求の範囲】
【請求項１】
相対向する正面プレート部と背面プレート部が四辺のうち三辺において結合エッジ部によって閉塞されて、止め金板の先端部が収容される空洞部を形成しており、残りの一辺が開放されて止め金板の先端部の挿入口になっており、前記三辺の結合エッジ部が断面外周輪郭において湾曲状に形成されており、前記正面プレート部と背面プレート部が前記空洞部に向かって凹み形成されている止め金板用ガイドキャップ。
【発明の詳細な説明】
【技術分野】
【０００１】
本発明は、扉用ロックハンドル装置の止め金板の先端部に装着されるガイド用キャップに関するものである。
【背景技術】
【０００２】
特許文献１及び特許文献２に例示されるように、配電盤キャビネットなどに一般に使用されている扉用ロックハンドル装置では、操作ハンドルを装備した装置本体を扉に固着し、操作ハンドルに直接的または間接的に連動装備した止め金板を操作ハンドルの回転操作によって施錠位置と開錠位置の間で回転駆動し、キャビネット本体側に設けた受金部に止め金板の先端部を係合または離脱させて、扉を閉鎖位置においてキャビネット本体に施錠または開錠している。
【０００３】
止め金板の先端部と受金部との間に隙間があるときには、扉がキャビネットに対して可動であり、風圧や外部振動によって扉がガタつくため、止め金板の先端部と受金部との係合は両者を摺り合わせるようにしてなされる。装着当初においては、止め金板は先端部の回転軌跡が受金部の側端面と突き当たることがない正規位置に設定されていても、その後のヒンジ軸の変位や部材の歪曲などによって、止め金板の先端部の回転軌跡が受金部の側端面に突き当たり、止め金板の先端部が受金部に円滑に摺り合わせ係合しないことがある。
【先行技術文献】
【特許文献】
【０００４】
【特許文献１】特開平８−５３９５９号公報
【０００５】
【特許文献２】特開２００４−１５６２９８号公報
【発明の概要】
【発明が解決しようとする課題】
【０００６】
本発明の課題は、止め金板の先端部への取付が簡単かつ的確に行なえるとともに、止め金板の受金部との摺り合わせ係合が円滑になされる止め金板用ガイドキャップを提供することである。
【課題を解決するための手段】
【０００７】
本発明の止め金板用ガイドキャップでは、相対向する正面プレート部と背面プレート部が四辺のうち三辺において結合エッジ部によって閉塞されて、止め金板の先端部が収容される空洞部を形成しており、残りの一辺が開放されて止め金板の先端部の挿入口になっており、前記三辺の結合エッジ部が断面外周輪郭において湾曲状に形成されており、前記正面プレート部と背面プレート部が前記空洞部に向かって凹み形成されている。
【発明の効果】
【０００８】
本発明の止め金板用ガイドキャップでは、前記正面プレート部と背面プレート部が前記空洞部に向かって凹み形成されており、前記空洞部に止め金板の先端部を挿入するに当たっては、これら正面プレート部と背面プレート部は作業者の指先または適当な治具によって外側に弾性変位させられ、止め金板の先端部を当該空洞部の奥まで挿入した後、正面プレート部と背面プレート部の外側への弾性変位は止められる。その結果、正面プレート部と背面プレート部は内側に凹んだ元の形態に弾性復元しようとし、止め金板の先端部の正面部と背面部に圧接する。本発明によれば、止め金板の先端部へのガイドキャップの取付け操作は簡単かつ的確に行なえ、取付後におけるガイドキャップの脱落もないのである。
【０００９】
本発明のガイドキャップでは、正面プレート部と背面プレート部を三辺において閉塞する結合エッジ部は、断面外周輪郭において湾曲状に形成されているため、止め金板と受金部の位置関係が当初の正規位置から多少ずれることがあっても、受金部の側端面の一部が結合エッジ部の湾曲状外周輪郭面に当たる範囲内のものであれば、すなわち、受金部の側端面の縁部が前記湾曲状外周輪郭面に当たる場合には、それ以降は当該湾曲状外周輪郭面に誘導されることによって、止め金板の先端部と受金部との摺り合わせ係合は円滑になされる。
【００１０】
結合エッジ部は三辺に存在するため、止め金板が下向き回転する場合と、止め金板が上向き回転する場合のいずれにおいても、的確な誘導作用をなし、止め金板の先端部と受金部との摺り合わせ係合が円滑になされる。
【図面の簡単な説明】
【００１１】
【図１】図１は本発明の一実施例に係る止め金板用ガイドキャップの正面図である。
【図２】図２は図１のガイドキャップの平面図である。
【図３】図３は図１のガイドキャップの右側面図である。
【図４】図４は図２のＡ−Ａ線断面図である。
【図５】図５は図１のガイドキャップを止め金板の先端部に取付けた扉用ロックハンドル装置の正面図である。
【図６】図６はガイドキャップと受金部に係合開始時点の位置関係を示す平面図である。
【実施例】
【００１２】
図示の実施例では、ガイドキャップ１は耐摩耗性に優れたプラスチック材料によって成形され、一対の正面プレート部２と背面プレート部３は三辺において結合エッジ部４，５，６によって閉塞されており、これらの正面プレート部２、背面プレート部３、結合エッジ部４，５，６によって空洞部７が形成されている。開放されている残る一辺は挿入口８になっている。正面プレート部２と背面プレート部３は、内向きに凹んでおり、その最深部は空洞部７の中間部で狭い間隔で対向している。
【００１３】
三辺の結合エッジ部４，５，６は一連に連続しており、各断面形状は楕円形の四分の一に相当する形になっており、結合エッジ部４，５，６は必要十分に厚肉なソリッドな形状に形成されている。そのため、扉用ロックハンドル装置１１の本体ケース１２から引き出してあった操作ハンドル１３を施錠方向に回転させることによって、止め金板１４の先端部のガイドキャップ１がキャビネット本体側の受金部９に当たったとき、結合エッジ部４，５，６の湾曲状外周輪郭面１０が凹み変形することによって、その誘導作用を消失することがなく、ガイドキャップ１は摺り合わせ係合のための誘導手段として常に有効に機能する。
【符号の説明】
【００１４】
１  ガイドキャップ
２  正面プレート部
３  背面プレート部
４  結合エッジ部
５  結合エッジ部
６  結合エッジ部
７  空洞部
８  挿入口
９  受金部
１０  結合エッジ部の湾曲状外周輪郭面
１１  扉用ロックハンドル装置
１２  本体ケース
１３  操作ハンドル
１４  止め金板
【図１】
2011140837.tif 000003
【図２】
2011140837.tif 000004
【図３】
2011140837.tif 000005
【図４】
2011140837.tif 000006
【図５】
2011140837.tif 000007
【図６】
2011140837.tif 000008